(57)【要約】【課題】搬送作業及び埋設作業の容易化を図れるとともに、機能部品の取り付け位置の自由度を高くできる門柱を提供することである。【解決手段】門柱１０は、少なくとも１つ以上の機能部品を取り付け可能な門柱１０であって、一列に並列された複数の支柱１２からなる門柱本体１１と、複数の支柱１２の下端部に連結された下部連結部材２０と、複数の支柱１２の上端部に取り外し可能に連結された上部連結部材２６とを含む。複数の支柱１２の下部は、下部連結部材２０と共に、地中に埋設される。【選択図】図１
2020180517.tif 000002
【特許請求の範囲】
【請求項１】
少なくとも１つ以上の機能部品を取り付け可能な門柱であって、
一列に並列された複数の支柱からなる門柱本体と、
前記複数の支柱の下端部に連結された下部連結部材と、
前記複数の支柱の上端部に取り外し可能に連結された上部連結部材と、を備え、
前記複数の支柱の下部は、前記下部連結部材と共に、地中に埋設される、
門柱。
【請求項２】
請求項１に記載の門柱において、
少なくとも１つ以上の前記機能部品が取り付けられており、
前記複数の支柱のそれぞれは、管状部と、前記管状部の機能部品取り付け側端に形成されたガイドレール部とを有し、
前記ガイドレール部は、前記機能部品側に突出する２つの壁部と、前記２つの壁部から互いに向き合う側に曲がっている２つの張り出し部と、前記管状部における前記２つの壁部の間の機能部品側面とを含んでおり、
さらに、少なくとも１つの前記支柱において、前記ガイドレール部に係合するように挿入され、ネジ孔を有する固定部材を備え、
前記機能部品を貫通し、前記固定部材の前記ネジ孔にねじ込まれたネジにより、少なくとも１つの前記支柱に前記機能部品が固定される、
門柱。
【請求項３】
請求項２に記載の門柱において、
少なくとも１つの前記支柱に固定された少なくとも１つの下支え部材を備え、
前記下支え部材は、前記支柱に固定され上側面に前記機能部品の下端外周部が載せられる基部と、前記基部から上側に突出し、前記機能部品の凹部の底面が載せられる上側支持部とを有する、
門柱。
【発明の詳細な説明】
【技術分野】
【０００１】
本開示は、少なくとも１つ以上の機能部品を取り付け可能な門柱に関する。
【背景技術】
【０００２】
従来から、特許文献１に記載されているように、門柱に、照明や、表札や、インターフォン等の機能部品が取り付けられた機能門柱が知られている。特許文献１に記載された機能門柱は、等間隔で並列した複数本の支柱からなる門柱本体の正面側に正面パネルが、複数本の支柱にまたがるように取り付けられる。複数本の支柱の上側部分は、各支柱に正面パネルを固定することによって接続される。正面パネルには、照明、表札、及びインターフォンが取り付けられる。複数本の支柱の地中に埋設される下端部は、固定部材によって接続される。
【先行技術文献】
【特許文献】
【０００３】
【特許文献１】特開２００８−３０３６８３号公報
【発明の概要】
【発明が解決しようとする課題】
【０００４】
特許文献１に記載された構成では、照明、表札、及びインターフォンの取り付け位置が正面パネルによって決まってしまうので、機能部品の取り付け位置の自由度が小さい。一方、複数本の支柱の上側部分を接続する部材がないと、全体的な形状を維持したままで機能門柱を設置場所まで搬送する作業が困難になり、さらに、機能門柱の下端部を埋設する作業も困難になる。
【０００５】
本開示の目的は、搬送作業及び埋設作業の容易化を図れるとともに、機能部品の取り付け位置の自由度を高くできる門柱を提供することである。
【課題を解決するための手段】
【０００６】
本開示の門柱は、少なくとも１つ以上の機能部品を取り付け可能な門柱であって、一列に並列された複数の支柱からなる門柱本体と、複数の支柱の下端部に連結された下部連結部材と、複数の支柱の上端部に取り外し可能に連結された上部連結部材と、を備え、複数の支柱の下部は、下部連結部材と共に、地中に埋設される、門柱である。
【発明の効果】
【０００７】
本開示に係る門柱によれば、搬送作業時及び埋設作業時のそれぞれで、複数の支柱の下端部に下部連結部材が接続され複数の支柱の上端部に上部連結部材が接続された状態とすることができる。これにより、門柱の搬送作業及び埋設作業の容易化を図れる。さらに、複数の支柱のそれぞれに、複数の機能部品が取り付けられた正面パネルを接続する必要がないので、機能部品の取り付け位置の自由度を高くできる。
【図面の簡単な説明】
【０００８】
【図１】実施形態の門柱を示す斜視図である。
【図２】図１のＡ部の拡大斜視図である。
【図３】図１のＢ部の拡大斜視図である。
【図４】門柱を構成する支柱を上から見た図である。
【図５】使用時における門柱を示す斜視図である。
【図６】図５に示す門柱を宅配ボックス側から見た斜視図である。
【図７】門柱を図６の下側から見た斜視図である。
【図８】図５の門柱を図５の右側から見た図である。
【図９】門柱の使用時に支柱の上端に取り付けられるエンドキャップの斜視図である。
【図１０】一部が切断された支柱と、固定部材とを分離して示す斜視図である。
【図１１】支柱と宅配ボックスとの結合部を示す断面図である。
【図１２】図７から下支え部材を取り出して示す斜視図である。
【図１３】図５のＣ部において照明ユニットを取り外した状態を示す斜視図である。
【図１４】照明ユニットの断面図である。
【発明を実施するための形態】
【０００９】
以下、図面を用いて本開示の実施形態を説明する。以下で説明する形状、材料及び個数は、説明のための例示であって、門柱の仕様に応じて適宜変更することができる。以下ではすべての図面において同等の要素には同一の符号を付して説明する。また、本文中の説明においては、必要に応じてそれ以前に述べた符号を用いるものとする。
【００１０】
図１は、実施形態の門柱１０を示す斜視図である。図２は、図１のＡ部の拡大斜視図である。図３は、図１のＢ部の拡大斜視図である。図４は、門柱１０を構成する支柱１２を上から見た図である。後述の図５を参照して、使用状態の門柱１０ａは、複数の機能部品としての正面ポスト３０、背面ポスト３１、表札３２、インターフォン３４、宅配ボックス４０、及び照明ユニット５０が取り付けられる。機能部品が取り付けられた門柱１０ａ（図５）は、機能門柱と呼ばれる。また、門柱１０，１０ａの下端部は、使用時に、ブロック状のコンクリートに埋設される。地面に形成した凹部に、門柱１０，１０ａの下部をコンクリートと共に埋め込むことで、門柱１０，１０ａが、住宅等の建物と、道路との間に立てられた状態で設置される。以下の説明では、門柱１０，１０ａの道路側を「正面側」と記載し、門柱１０，１０ａの建物側を「背面側」と記載する場合がある。
【００１１】
門柱１０は、門柱本体１１と、下部連結部材２０と、上部連結部材２６とを含んで構成される。門柱本体１１は、略等間隔で一列に並列された複数の支柱１２によって構成される。図示の例では、門柱本体１１は、６つの支柱１２によって構成される。各支柱１２は、樹脂または金属により形成される。
【００１２】
下部連結部材２０は、複数の支柱１２の下端部に横方向（図１の左右方向）に掛け渡すように連結される。上部連結部材２６は、複数の支柱１２の上端部に取り外し可能に横方向に連結される。図２、図３に示すように、下部連結部材２０及び上部連結部材２６は、それぞれ互いに直角に連結された２つの板部２１，２２，２７，２８を有する断面Ｌ字形の長尺状である。２つの板部２１，２２，２７，２８の一方の板部２１，２７において、複数の支柱１２の端部内側部分と一致する長手方向複数位置には、ネジ貫通用の上下方向に貫通する穴（図示せず）が形成される。下部連結部材２０及び上部連結部材２６は、それぞれ金属または樹脂により形成される。
【００１３】
図４に示すように、各支柱１２は、長尺状で断面矩形状の管状部１３と、管状部１３の機能部品取り付け側端である、背面側端（図４の上端）に形成されたガイドレール部１５とを含む。ガイドレール部１５は、複数の支柱１２の並列方向である横方向（図４の左右方向）おける両端で、背面側（図４の上側）に突出する２つの壁部１６と、２つの張り出し部１７と、レール底面１９とを有する。２つの張り出し部１７は、２つの壁部１６の背面側端である先端から、互いに向き合う側に曲がっている。２つの張り出し部１７の先端部は、先端に向かって管状部１３側に傾斜している。レール底面１９は、管状部１３における２つの壁部１６の間の、機能部品側面である背面側面（図４の上側面）である。
【００１４】
管状部１３の正面側端の内面には、支柱１２の長手方向（図４の紙面の表裏方向）の全長にわたって延びる断面Ｃ字形の筒部１４が形成される。筒部１４の長手方向両端部には雌ネジ部が形成される。図２に示すように、下部連結部材２０の板部２１に形成された複数の穴には、下側からネジ２３が貫通し、そのネジ２３が筒部１４下端の雌ネジ部に結合されることで、複数の支柱１２の下端部に下部連結部材２０が連結される。この状態で下部連結部材２０の板部２１の上面は各支柱１２の下端に接触し、他の板部２２の側面は支柱１２における管状部１３の正面側面に接触する。複数本の支柱１２のうち、横方向外側２つずつの支柱１２のそれぞれの横方向両端における下端縁には、Ｕ字形の切り欠き１２ａが形成され、後述するコンクリートの流し込みによって、支柱１２の下端部をコンクリートに固定しやすくしている。
【００１５】
図３に示すように、上部連結部材２６の板部２７に形成された複数の穴には、上側からネジ２９が貫通し、そのネジ２９が筒部１４（図４）上端の雌ネジ部に結合されることで、複数の支柱１２の上端部に上部連結部材２６が取り外し可能に連結される。この状態で上部連結部材２６の板部２７の下面は各支柱１２の上端に接触し、他の板部２８の側面は支柱１２における管状部１３の正面側面に接触する。
【００１６】
図４に示すガイドレール部１５の内側には、後述の図１０に示す固定部材６０がスライドされて挿入される。固定部材６０は、ネジ孔を有し、宅配ボックス４０等の機能部品を貫通したネジ６４がねじ込まれ、固定部材６０と機能部品とでガイドレール部１５の張り出し部１７を挟むことにより、支柱１２に機能部品が固定される。
【００１７】
上記の門柱１０には、後述の図５〜図８に示す、少なくとも１つの以上の機能部品が取り付け可能である。門柱１０の使用状態で、複数の支柱１２の下部は、下部連結部材２０及びコンクリート７０（図５）と共に地中に埋設される。図５の二点鎖線αは、地面を示している。図１は、工場や小売店からの搬送時及び地中に下端部が埋設されるまでの状態における門柱１０を示している。
【００１８】
図５〜図８は、使用時における門柱１０ａを示している。図５は、使用時における門柱１０ａを示す斜視図である。図６は、門柱１０ａを宅配ボックス４０側である背面側から見た斜視図である。図７は、門柱１０ａを図６の下側から見た斜視図である。図８は、門柱１０ａを図５の右側から見た図である。
【００１９】
図５〜図８に示すように、使用時における門柱１０ａは、門柱１０ａの各支柱１２の上端から上部連結部材２６（図３）を取り外し、その代わりに各支柱１２の上端にエンドキャップ８０が取り付けられている。
【００２０】
図９は、エンドキャップ８０の斜視図である。エンドキャップ８０は、内側が複数の補強板８１で仕切られた断面略矩形状の筒部８２と、筒部８２の上端を塞ぐ天板部８３とが一体形成される。エンドキャップ８０は、例えば樹脂製である。天板部８３は、水平方向に対し傾斜することで上面に降った雨水を流しやすくしている。エンドキャップ８０は、各支柱１２の管状部１３の上端開口に筒部８２が嵌合するように取り付けられる。
【００２１】
図５〜図８に戻って、門柱１０ａの正面側の上側半部には正面ポスト３０、表札３２及びインターフォン３４が取り付けられ、下側半部には照明ユニット５０が取り付けられる。さらに、門柱１０ａの背面側には、背面ポスト３１及び宅配ボックス４０が取り付けられる。門柱１０ａには、正面ポスト３０及び背面ポスト３１の一方のみが取り付けられてもよい。
【００２２】
次に図１０、図１１を用いて、支柱１２と宅配ボックス４０との固定構造を説明する。図１０は、一部が切断された支柱と、固定部材６０とを分離して示す斜視図である。図１１は、支柱１２と宅配ボックス４０との結合部を示す断面図である。
【００２３】
宅配ボックス４０は、略直方体状であり、宅配荷物を無人で受け取り可能である。宅配ボックス４０は、宅配業者が内部の荷物室４１に荷物を入れた状態で扉４２が施錠される。門柱１０ａを所有する等の、建物の住人である荷物の受取人は、扉４２に配置された鍵穴部に鍵を入れて施錠装置を解錠することで、扉４２を開放し、荷物を取り出すことが可能である。宅配ボックス４０は、略直方体状の筐体４３の横方向一方端の開口を開閉可能に扉４２が取り付けられる。筐体４３の下端面には断面矩形の凹部４４が形成される。
【００２４】
宅配ボックス４０は、図１１に示す固定構造４５によって複数の支柱１２に固定される。固定構造４５は、複数の支柱１２のガイドレール部１５に係合するようにそれぞれ挿入された固定部材６０を備える。固定部材６０は、ガイドレール部１５の２つの張り出し部１７とレール底面１９との間に挿入され、上下方向（図１１の紙面の表裏方向）に延びる２つの板部６１と、２つの板部６１を連結するように宅配ボックス４０側に突出しならがら上下方向に延びるゲート形状の連結部６２とを含む。２つの板部６１の外端には、宅配ボックス４０側に突出する爪部６１ａが形成される。図１０に示すように、連結部６２の先端面の長手方向に離れた２つの位置にはネジ孔６３が形成される。
【００２５】
宅配ボックス４０の内面における、支柱１２側端の壁部４６の横方向（図１１の左右方向）に離れた複数位置で、上下方向（図１１の紙面の表裏方向）に離れた２つの位置には穴（図示せず）が形成される。宅配ボックス４０の外側で、各固定部材６０の２つのネジ孔６３のそれぞれには、壁部４６の穴を貫通したネジ６４がねじ込まれる。この状態で、図１１に示すように、固定部材６０の連結部６２の先端面が、宅配ボックス４０の壁部４６の外側面に押し付けられると共に、固定部材６０の２つの爪部６１ａと宅配ボックス４０の壁部４６とで、支柱１２の２つの張り出し部１７の根元側部分が挟まれる。これにより、複数の支柱１２に宅配ボックス４０が固定される。１つの支柱１２だけに宅配ボックス４０が固定されてもよい。このように、宅配ボックス４０が、ネジ孔６３を有する固定部材６０によって支柱１２に固定されるので、支柱１２のガイドレール部１５側端にネジ孔を形成する必要がない。さらに、支柱１２のガイドレール部１５に固定部材６０をスライドさせて固定部材６０の高さ位置を容易に変えることができるので、支柱１２に対する宅配ボックス４０の取り付け位置の高さを自由に設定しやすい。なお、宅配ボックス４０は、１つの支柱１２に係合した１つの固定部材６０のみにより支柱１２に固定されてもよい。
【００２６】
図６〜図８に示すように、宅配ボックス４０の下側は、２つの下支え部材６５により支持される。図１２は、図７から下支え部材６５を取り出して示す斜視図である。図１２に示すように、下支え部材６５は、略五角形の基部６６と、基部６６に連結された上側支持部６９とが、金属板により一体的に形成されている。基部６６は、略五角形の板部６７と、板部６７において五角形の隣接する２辺から略直角に曲げられた２つの壁部６８ａ、６８ｂとを有する。２つの壁部６８ａ、６８ｂのうち、一方の壁部６８ａが、設置状態で上端に配置される。一方の壁部６８ａの他方の壁部６８ｂ側端には、他方の壁部６８ｂの内側に重なるように略直角に曲げられた結合壁部６８ｃ（図７）が連結される。
【００２７】
上側支持部６９は、一方の壁部６８ａの他方の壁部６８ｂと反対側端部に、上側に突出するように連結される略Ｌ字形である。上側支持部６９は、一方の壁部６８ａにおいて、他方の壁部６８ｂと反対側端部に切り欠き６９ａを形成し、その切り欠き６９ａの片側を略直角に曲げ、さらにその先端部を略直角に曲げることにより形成される。
【００２８】
他方の壁部６８ｂの長手方向（図１２の上下方向）における複数位置にはネジ貫通用の穴６８ｄが形成される。上端の穴６８ｄに対向して、結合壁部６８ｃにも穴が形成される。
【００２９】
図７に示すように、２つの下支え部材６５は、横方向に離れて配置された２つの支柱１２に固定される。このとき、下支え部材６５の内側から、複数の穴６８ｄ（図１２）を貫通したネジが支柱１２のガイドレール部１５に係合させた固定部材の複数のネジ孔にねじ込まれることで、下支え部材６５が支柱１２に固定される。この状態で、下支え部材６５の他方の壁部６８ｂが上下方向に沿って配置され、一方の壁部６８ａが支柱１２の背面側端から背面側に突出するように配置される。下支え部材６５の固定に用いる固定部材は、図１０、図１１に示した固定部材６０と同様に形成される。
【００３０】
図７に示すように、２つの下支え部材６５は、互いの２つの壁部６８ａ、６８ｂ及び互いの上側支持部６９の先端部が互いに近づくように、向き合って配置されている。この状態で、各下支え部材６５における一方の壁部６８ａの支柱１２側端部の上側面には、宅配ボックス４０の凹部４４より外側の下端外周部が載せられる。さらに、上側支持部６９の先端部の上面には、宅配ボックス４０の凹部４４の底面（図７の上面）が載せられる。これによって、支柱１２に宅配ボックス４０を固定構造４５（図１１）によって固定する場合に、宅配ボックス４０をより強固に支柱１２に固定することができる。
【００３１】
宅配ボックス４０は、１つまたは３つ以上の支柱１２に、１つまたは３つ以上の下支え部材６５を固定し、その下支え部材６５により宅配ボックス４０の下端部を支柱１２に支持してもよい。
【００３２】
門柱１０ａの背面側には、宅配ボックス４０の固定構造４５（図１１）と同様の構成によって、１つまたは複数の支柱１２に固定部材を用いて、背面ポスト３１が固定される。このとき、宅配ボックス４０の場合と同様に、背面ポスト３１の下端部が、１つまたは複数の支柱１２に固定された下支え部材によって、支柱１２に支持されてもよい。さらに、門柱１０ａの正面側には、支柱１２に結合したドリルネジ（図示せず）により、正面ポスト３０とインターフォン３４と表札３２とが固定される。図５では、表札３２を支柱１２に固定するためのネジの図示を省略している。表札３２を、道路側の正面側部材と支柱側の背面側部材とを結合することにより形成してもよい。このとき、支柱１２に背面側部材をネジで固定した後、名前が表示された正面側部材を、正面側部材でネジの頭部を隠すように、背面側部材に接着等により固定してもよい。
【００３３】
次に、図１３、図１４を参照して、照明ユニット５０（図５、図１４）の固定構造を説明する。照明ユニット５０（図１４）は、門柱１０ａの正面側の下端部に固定構造によって固定される。図１３は、図５のＣ部において照明ユニット５０を取り外した状態を示す斜視図である。図１４は、照明ユニット５０の断面図である。
【００３４】
図１３に示すように、照明ユニット５０の固定構造は、複数の支柱１２の正面側にドリルネジ８７で固定した上側係止部材８５と、複数の支柱１２の正面側で上側係止部材８５の下側に、後述のケース５１（図１４）を貫通して結合した複数のドリルネジ８９とを含んでいる。
【００３５】
図１４に示すように、照明ユニット５０は、ケース５１と、ケース５１に収容支持された発光装置５５とを有する。ケース５１は、略矩形筒状の下側ケース本体５２と、下側ケース本体５２の支柱１２から離れる側（図１４の右側）の上面から突出する略平行な２つの壁部５３ａ、５３ｂとを有する。２つの壁部５３ａ、５３ｂの内側には上側空間５４が形成される。
【００３６】
発光装置５５は、上側空間５４に配置される。発光装置５５は、光源（図示せず）と、導光棒５６とを有する。光源は、例えば発光ダイオードであるが、白熱電球等としてもよい。導光棒５６は、横方向（図１４の紙面の表裏方向）に延びる棒状であり、アクリル樹脂等の透光性を有する樹脂材料またはガラス等から形成される。導光棒５６は、上側空間５４の底部に固定された導光棒支持部５７を介して支持される。導光棒５６の横方向一端には光源が対向する。光源の光が導光棒５６に入射されると、その光が導光棒５６の上面から拡散されて出射される。導光棒５６から出射した光は、導光棒支持部５７において導光棒５６の上側に固定された内側の透光性カバー５８と、２つの壁部５３ａ、５３ｂの上端部に取り付けられた外側の透光性カバー５９とを通して上側に出射される。この光によって図５に示す門柱１０ａの表札３２付近が照明される。
【００３７】
図１４に示すように下側ケース本体５２の内部には下側空間５２ａが形成される。下側空間５２ａには、光源に電力を供給する電源回路（図示せず）が配置される。電源回路は、電線（図示せず）を介して後述のＥＥスイッチ（図示せず）を介して商用交流電源に接続される。上側空間５４と下側空間５２ａの横方向両端部は、２つの端カバー５１ａ（図５、図８）で塞がれる。門柱１０ａの横方向一端部（図１３の左端部）の支柱１２において、横方向外側面にはＥＥスイッチが取り付けられる。図１３に示すように、横方向一端部の支柱１２の横方向外側面には、矩形皿状の取り付けブラケット８８がネジにより取り付けられる。ＥＥスイッチは、取り付けブラケット８８に係止することで支柱１２に取り付けられる。ＥＥスイッチは、門柱１０ａの周囲が暗くなったことを照度センサ等により検知した場合にオンされ、電源回路と商用交流電源とを接続することにより、照明ユニット５０を点灯させる。
【００３８】
下側ケース本体５１において支柱１２側端部（図１４の左端部）の上端部外側には、断面略Ｌ字形で横方向略全長にわたって延びる係止爪５１ｂが形成される。係止爪５１ｂは下端が開口する。係止爪５１ｂには、図１３に示す上側係止部材８５の上側に突出する板部８６が入り込んで下側ケース本体５１の上端部を複数の支柱１２に支持する。
【００３９】
下側ケース本体５１において支柱１２側端部の下端部外側には、斜め下側に延出され横方向略全長にわたって延びる傾斜板部５１ｃと、傾斜板部５１ｃの下端から上下方向に延出される下端板部５１ｄとが形成される。下端板部５１ｄの横方向複数位置の穴を貫通したドリルネジ８９（図１３）が複数の支柱１２に結合されることにより、下側ケース本体５１の下端部が複数の支柱１２に固定される。照明ユニット５０を複数の支柱１２に固定する場合には、照明ユニット５０の係止爪５１ｂの内側に上側係止部材８５の板部８６を進入させ、その後、複数のドリルネジ８９で下端板部５１ｄを複数の支柱１２に結合する。
【００４０】
門柱１０ａの施工時には、地中への埋設前の門柱１０（図１）を、所定の埋設位置の近傍に移動する。埋設位置では、地面に直方体状の凹部を形成する。そして、門柱１０を地面に寝かした状態で、門柱１０に宅配ボックス４０、正面ポスト３０、背面ポスト３１、表札３２、照明ユニット５０及びＥＥスイッチを、固定のためのネジを途中まで締め付けるように仮固定する。
【００４１】
次いで、門柱１０を立てて、門柱１０の下端部を下部連結部材２０（図１、図２）と共に地面の凹部の内側に配置する。そしてこの凹部に門柱１０の下端部を埋めるように溶融状態のコンクリートを流し込み固化させる。これにより門柱１０の複数の支柱１２の下部が、下部連結部材２０と共に地中に埋設される。そして、門柱１０に宅配ボックス４０、正面ポスト３０、背面ポスト３１、表札３２、照明ユニット５０及びＥＥスイッチを、ネジを完全に締め付けることで本固定する。その後、複数の支柱１２の上端部から上部連結部材２６（図１、図３）を取り外し、その代わりに、各支柱１２の上端部にエンドキャップ８０を取り付けることで、門柱１０ａを形成する。
【００４２】
上記の門柱１０，１０ａによれば、搬送作業時及び埋設作業時のそれぞれで、複数の支柱１２の下端部に下部連結部材２０が接続され複数の支柱１２の上端部に上部連結部材２６が接続された状態とすることができる。これにより、門柱１０，１０ａの搬送作業及び埋設作業の容易化を図れる。さらに、複数の支柱１２のそれぞれに、複数の機能部品が取り付けられた正面パネルを接続する必要がないので、機能部品の取り付け位置の自由度を高くできる。
【００４３】
なお、門柱１０の地中への埋設と宅配ボックス４０等の複数の機能部品の取り付けとを行う場合の手順は上記の方法に限定しない。例えば、地面に形成した凹部に、機能部品の取り付け前の門柱１０を立てて配置した後、その凹部に溶融状態のコンクリートを流し込み、門柱１０の下部を地中に埋設する。その後、門柱１０に宅配ボックス４０等の複数の機能部品を取り付けた後、複数の支柱１２の上端部から上部連結部材２６を取り外し、各支柱１２の上端部にエンドキャップ８０を取り付けてもよい。また、門柱１０，１０ａに取り付ける機能部品は、宅配ボックス４０、正面ポスト３０、背面ポスト３１、表札３２、照明ユニット５０及びＥＥスイッチ以外としてもよい。
【００４４】
また、上記では、上部連結部材２６及び下部連結部材２０のそれぞれが断面Ｌ字形の長尺状である場合を説明したが、上部連結部材及び下部連結部材の一方または両方を、横方向に延びる長尺な平板状で、複数の支柱１２に連結される構成としてもよい。また、門柱は、機能部品を１つのみ取り付け可能としてもよい。
【符号の説明】
【００４５】
１０，１０ａ  門柱、１１  門柱本体、１２  支柱、１３  管状部、１４  筒部、１５  ガイドレール部、１６  壁部、１７  張り出し部、１９  レール底面、２０  下部連結部材、２１、２２  板部、２３  ネジ、２６  上部連結部材、２７，２８  板部、２９  ネジ、３０  正面ポスト、３１  背面ポスト、３２  表札、３４  インターフォン、４０  宅配ボックス、４１  荷物室、４２  扉、４３  筐体、４４  凹部、４５  固定構造、４６  壁部、５０  照明ユニット、５１  ケース、５１ａ  端カバー、５１ｂ  係止爪、５１ｃ  傾斜板部、５１ｄ  下端板部、５２  下側ケース本体、５２ａ下側空間、５３ａ，５３ｂ  壁部、５４  上側空間、５５  発光装置、５６  導光棒、６０  固定部材、６１  板部、６１ａ  爪部、６２  連結部、６３  ネジ孔、６４  ネジ、６５  下支え部材、６６  基部、６７  板部、６８ａ，６８ｂ  壁部、６８ｃ  結合壁部、６８ｄ  穴、６９  上側支持部、６９ａ  切り欠き、７０  コンクリート、８０  エンドキャップ、８１  補強板、８２  筒部、８３  天板部、８５  上側係止部材、８６  板部、８７  ドリルネジ、８８  取り付けブラケット、８９  ドリルネジ。
【図１】
2020180517.tif 000003
【図２】
2020180517.tif 000004
【図３】
2020180517.tif 000005
【図４】
2020180517.tif 000006
【図５】
2020180517.tif 000007
【図６】
2020180517.tif 000008
【図７】
2020180517.tif 000009
【図８】
2020180517.tif 000010
【図９】
2020180517.tif 000011
【図１０】
2020180517.tif 000012
【図１１】
2020180517.tif 000013
【図１２】
2020180517.tif 000014
【図１３】
2020180517.tif 000015
【図１４】
2020180517.tif 000016